(57)【要約】【課題】廉価であり、操作も簡単であり、かつ、効果の個人差が少ない気功器具及びこの器具を使用して行う心身調整法を提供することである。【解決手段】本発明の気功器具は、発光素子を駆動して、可視光レーザー光を照射させるものである。また、本発明の心身調整法は、症状部位及び／又は症状部位に関連した経絡に可視光レーザー光を照射することによって行われる。照射される可視光レーザー光の波長は、６３０ｎｍ〜６５０ｎｍであることが好ましく、６３５ｎｍであるのが最も好ましい。【選択図】　図１
2004141510.tif 000002
【特許請求の範囲】
【請求項１】
発光素子を駆動して、可視光レーザー光を照射させる気功器具。
【請求項２】
前記可視光レーザー光の波長が６３０ｎｍ〜６５０ｎｍであることを特徴とする請求項１に記載の気功器具。
【請求項３】
前記可視光レーザー光の波長が６３５ｎｍであることを特徴とする請求項２に記載の気功器具。
【請求項４】
症状部位及び／又は症状部位に関連した経絡に可視光レーザー光を照射することによって行われる心身調整法。
【請求項５】
前記可視光レーザー光の波長が６３０ｎｍ〜６５０ｎｍであることを特徴とする請求項４に記載の心身調整法。
【請求項６】
前記可視光レーザー光の波長が６３５ｎｍであることを特徴とする請求項５に記載の心身調整法。
【発明の詳細な説明】
【０００１】
【発明の属する技術分野】
本発明は、気功器具及び該器具を使用して行う心身調整法に関する。ここで、気功とは、東洋医学で用いられる語であり、気エネルギーによる心身の調整のことを意味する。
【０００２】
【従来の技術】
現代社会においては、心身の不適応に悩まされている多くの人々がいる。心身の不適応の原因は、医学的・心理学的に種々の説明がなされているが、それらを改善する方法となると、十分なものは見当たらない。東洋医学・東洋心理学的な観点から見ると、心身の不適応の原因は、気エネルギーのアンバランスによりもたらされると考えられている。中国医学・インド医学では、心身の不適応の改善及び予防は、自己規律によるエネルギー調整により可能であると言われており、中国においては、気功治療が、西洋医学と同等の地位を有し、社会的に認知されている。
【０００３】
気功治療は一般的に、治療者の長年の訓練により会得される技能によってはじめて可能となるものであり、非熟練者が実施することができるものではないとされてきた。しかし、近年、非熟練者であっても使用することができる気功器具が開発されており、種々の形式の気功器具が販売されている。
【０００４】
【発明が解決しようとする課題】
しかしながら、現在市販されている気功器具は、価格が高く、その効果も個人差が大きく、満足すべきものが見当たらないのが現状である。したがって、本発明は、廉価であり、操作も簡単であり、かつ、効果の個人差が少ない気功器具、及び、該器具を使用して行う心身調整法を提供することを目的としている。
【０００５】
【課題を解決するための手段】
本発明に係る気功器具は、波動を用いた波動調整であるアクティブ・ノイズ・コントロールを利用したものである。すなわち、人体には微弱な電流が流れており、磁気を帯びた状態を常に維持している一方、人体の症状部位からは症状波動が出ているが、症状部位や関連した経絡に所定波長のレーザー光を照射することで、波動調整を行い、症状波動を消去させ、症状の改善を図ろうとするものである。本発明者は、種々の試験を行った結果、照射するのが可視光レーザー光である場合に効果的であり、特に波長が６３０〜６５０ｎｍ（ナノメートル）であるのが好ましく、６３５ｎｍであるのが最も好ましいことを見い出した。
【０００６】
本願請求項１に記載の気功器具は、発光素子を駆動して、可視光レーザー光を照射させることを特徴とするものである。
【０００７】
本願請求項２に記載の気功器具は、前記請求項１の気功器具において、前記可視光レーザー光の波長が６３０ｎｍ〜６５０ｎｍであることを特徴とするものである。
【０００８】
本願請求項３に記載の気功器具は、前記請求項２の気功器具において、前記可視光レーザー光の波長が６３５ｎｍであることを特徴とするものである。
【０００９】
本願請求項４に記載の心身調整法は、症状部位及び／又は症状部位に関連した経絡に可視光レーザー光を照射することによって行われることを特徴とするものである。
【００１０】
本願請求項５に記載の心身調整法は、前記請求項４の心身調整法において、前記可視光レーザー光の波長が６３０ｎｍ〜６５０ｎｍであることを特徴とするものである。
【００１１】
本願請求項６に記載の心身調整法は、前記請求項５の心身調整法において、前記可視光レーザー光の波長が６３５ｎｍであることを特徴とするものである。
【００１２】
【発明の実施の形態】
次に図面を参照して、本発明の好ましい実施の形態に係る気功器具について説明する。図１において全体として参照符号１０で示される本発明の好ましい実施の形態に係る気功器具は、円筒形のケース１２と、ケース１２の内部に発光素子ホルダ１４によって保持され、可視光レーザー光を照射させる発光素子１６と、発光素子１６を駆動させる駆動回路が実装された基板１８と、電源となる電池２０とを備えている。なお、図１において、２２は電極、２４はレーザー光が透過する窓部を示している。
【００１３】
発光素子１６は、所定範囲の可視光レーザー光を照射するものが選定される。発光素子１６としては、レーザーダイオード、気体レーザー、固体レーザー、発光ダイオード等があげられる。
【００１４】
前記可視光レーザー光の波長は、上述のように、好ましくは６３０〜６５０ｎｍ（ナノメートル）、最も好ましく６３５ｎｍである。
【００１５】
使用に際しては、患者の症状部位及び／又は症状部位に関連した経絡に所定時間、可視光レーザー光を照射することによって治療を行う。
【００１６】
次に、本発明の効果を実証するために行った臨床事例について説明する。
【００１７】
（第１事例）腰痛及び全身の倦怠感を訴えていた癌患者（８０歳、男性）の経絡に、本発明の気功器具により可視光レーザー光を１分間照射したところ、症状が改善された。
【００１８】
（第２事例）足首を捻挫した患者（１９歳、女性）に対して、本発明の気功器具により、捻挫部位に可視光レーザー光を２０秒間照射し、次いで足首関連経絡に１分間照射したところ、症状が改善された。
【００１９】
（第３事例）生理痛を訴える患者（２３歳、女性）に対して、本発明の気功器具により、下腹部に可視光レーザー光を２０秒間照射し、次いで脊柱・骨盤部位に１分間照射したところ、症状が改善された。
【００２０】
（第４事例）両膝の痛みを訴える患者（１４歳、女性）に対して、本発明の気功器具により、膝部位・脊柱・両足部経絡に２分間照射したところ、症状が改善された。
【００２１】
（第５事例）右肩・肘痛を訴える患者（３０歳、男性）に対して、本発明の気功器具により、症状部位及び関連経絡に２分間照射したところ、症状が改善された。
【００２２】
（第６事例）腰痛・背部のつっぱり感を訴える患者（３６歳、男性）に対して、本発明の気功器具により、関連経絡に２分間照射したところ、症状が改善された。
【００２３】
（第７事例）肩凝りに悩まされる患者（２６歳、女性）に対して、本発明の気功器具により、肩・肩甲骨周辺部位・関連経絡に１分間照射したところ、症状が改善された。
【００２４】
（第８事例）偏頭痛に悩まされる患者（４２歳、男性）に対して、本発明の気功器具により、頸椎部・脊柱・頭部経絡に１分間照射したところ、症状が改善された。
【００２５】
（第９事例）腰痛に悩まされる妊産婦に対して、本発明の気功器具により、腰痛部位・関連経絡に２分間照射したところ、症状が改善された。
【００２６】
（第１０事例）不全感に悩まされる患者（２８歳、女性）に対して、本発明の気功器具により、脊柱・腰椎部位・チャクラ部位に１分間照射したところ、症状が改善された。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
【発明の効果】
本発明により、効果の個人差が比較的少なく、廉価であり、かつ、簡単な気功器具及び心身調整法が提供される。
【図面の簡単な説明】
【図１】本発明の好ましい実施の形態に係る気功器具を示した断面図である。
【符号の説明】
１０　気功器具
１２　ケース
１４　発光素子ホルダ
１６　発光素子
１８　基板
２０　電源
【図１】
2004141510.tif 000003